【事件の表示】
　特願２００８−３０４２７０「画像形成システム」拒絶査定不服審判事件〔平成２１年　２月２６日出願公開，特開２００９−　４２７９５〕について，次のとおり審決する。
【結　論】
　本件審判の請求は，成り立たない。
【理　由】
第１　手続の経緯
　本願は，平成１３年９月２１日に出願した特願２００１−２８９５８６号の一部を平成２０年１１月２８日に新たな特許出願としたものであって，平成２２年９月６日付けで拒絶理由の通知に対し，同年１１月１２日付けで手続補正がなされたが，平成２３年２月１４日付けで拒絶査定がなされ，これに対し，同年５月１８日に審判請求がなされるとともに，同日付けで手続補正がなされたものである。
　
　
第２　平成２３年５月１８日付けの手続補正についての却下の決定
［補正却下の決定の結論］
　平成２３年５月１８日付けの手続補正を却下する。
　
［理由］
１．本件補正の内容
　平成２３年５月１８日付けの手続補正（以下，「本件補正」という。）により補正された特許請求の範囲の請求項のうち，請求項１の記載は次のとおりである。（下線部は補正箇所である。）
「【請求項１】
　用紙に対して処理を行う用紙処理装置と，
　入力された画像情報に基づいて用紙上に画像を形成する画像形成装置と，
　給紙手段から給紙された用紙を用紙処理装置に案内する第１の搬送経路と前記画像形成装置から搬入された用紙を用紙処理装置に案内する第２の搬送経路を備えたカバーフィーダ装置と，
を含む画像形成システムにおいて，
　前記カバーフィーダ装置は，
　前記給紙手段が設けられている水平部と，
　前記第１の搬送経路と前記第２の搬送経路が設けられ
，前記用紙処理装置の垂直方向の高さより短い
を有し，
　
前記用紙処理装置と前記画像形成装置の間の空間の上部に配置され，
を特徴とする画像形成システム。」
　
２．本件補正の適否
　本件補正における請求項１に係る補正事項は，本件補正前の請求項１に記載された「垂直部」について，「前記用紙処理装置の垂直方向の高さより短い」ことを限定し，本件補正前の請求項１に記載された「カバーフィーダ装置」について，「前記用紙処理装置と前記画像形成装置の間の空間の上部に配置され」ていることを限定するものであるから，この補正事項は，補正前の請求項に記載された発明を特定するために必要な事項を限定するものである。また，本件補正前後の請求項１に記載された発明の産業上の利用分野及び解決しようとする課題は同一であると認められる。
　したがって，本件補正は，平成１８年法律第５５号改正附則第３条第１項によりなお従前の例によるとされる同法による改正前の特許法（以下，「平成１８年改正前特許法」という。）第１７条の２第４項第２号に規定された特許請求の範囲の減縮を目的とする補正事項を含むものである。 
　そこで，本件補正後の請求項１に係る発明（以下，「本願補正発明」という。）が平成１８年改正前特許法第１７条の２第５項において準用する同法第１２６条第５項の規定に適合するか否か（特許出願の際独立して特許を受けることができるものであるか否か）について以下に検討する。 
　
（１）本願補正発明
　本願補正発明は，上記１．に記載したとおりのものである。 
 　 
（２）刊行物１の記載事項及び刊行物１に記載された発明
　これに対して，原査定の拒絶の理由で引用された本願の出願日前に頒布された刊行物である特開平１０−２２１９０９号公報（以下，「刊行物１」という。）には，次の事項が記載されている。 
ア．「【特許請求の範囲】
【請求項１】　シートを収納する少なくともシート収納手段と，該シート収納手段にシートを排出するシート排出手段と，
前記シート収納手段と前記シート排出手段とを支持する枠体と，前記枠体を床面に対して自立させるための少なくとも３つの支持部材と，を有するシート処理装置において，
前記シート処理装置にシート折り，綴じ，パンチ等又はシート束への処理機能を追加するためのシート処理手段，及び前記シート収納手段と異なる枠体を有するシート積載手段の少なくとも１つを装着して追加する場合，前記支持部材の少なくとも１つの位置を移動し取り付け可能に構成したことを特徴とするシート処理装置。」
イ．「【００１１】
　本発明は，シート処理装置に追加されるシート処理手段に応じて，シート処理装置の支持部材を所定位置に移動させて，シート処理装置に対するシート処理手段の追加を容易にし，且つシート処理手段の追加がない場合には，装置の設置面積の小型化を可能にしたシート処理装置を提供することを目的とするものである。」
ウ．「【００１９】
【発明の実施の形態】
〈実施の形態１〉
　以下，本実施の形態を図面に沿って説明する。
【００２０】
　図１において，１００は画像形成装置，２０１は画像形成本体としての複写機本体，５０１はシート処理装置である。
・・・（略）
【００２７】
　シート処理装置５０１は，以上の構成によりなり，その右側には，複写機本体２０１とその上部に配設された原稿自動送り装置２０２とが配置されている。
・・・（略）
【００３０】
　以上の構成に基づいて，各構成部の動作を簡単に説明すると，画像形成本体２０１に配設された原稿自動送り装置２０２の原稿載置台２０６に原稿がセットされ，不図示の操作部で所定のモード条件を入力し，スタートキーが押される。前記動作により画像形成が行われたシートＳは，シート処理装置５０１へ搬入される。
【００３１】
　シート処理装置５０１へ搬入されたシートは，入口部５０２，パス５０２ａを介して搬送され，さらに所定のモードによってパス切り換え部５１５を不図示の切り換え手段によって切り換え搬送路５０３又は５０４へと搬送される。
【００３２】
　例えば，ノンステイプルモード等の場合，シートＳは上方の搬送路５０３に導かれ，５０５を介して上方のスタックトレイ５１３に積載される。
【００３３】
　また，ステイプルモード等の場合は，シートＳは下方の搬送路５０４に導かれ，前述したように処理トレイ５０７に積載後ステイプラ５０８によりステイプルされた後，処理トレイ排出部５０９，５１０により下方スタックトレイ５１２に排出積載される。
【００３４】
　また，例えば，ノンステイプルモードの場合でも，スタックトレイ上で１束ごとに束をオフセット積載したい場合は，搬送路５０４から処理トレイ５０７に１束を積載し，処理トレイ５０７上で不図示の束移動手段によりシート搬送方向と直交する方向へ１束毎に所定量ずつ図１において手前，奥交互に移動させ移動後，前記動作で下方スタックトレイに積載させれば束オフセットが可能となる。」
エ．図１は次のとおりである。
オ．「【００３５】
　次に，他のシート処理手段（シート束処理手段を含む）としての，折り，中綴じ折り，インサータユニット機能等の処理機能を追加する場合について説明する（図２参照）。
【００３６】
　６００は中綴じ折りユニット（以降サドルステッチャーという），８００はインサータユニット８００を示す。
【００３７】
　例えば，シート処理装置５０１に，上記中綴じ折りユニット６００及びインサータユニット８００を追加する場合は，前記シート処理装置５０１の横にインサータユニット８００及びサドルステッチャー６００を有するフレーム６５０を固定する。このフレーム６５０の固定方法は後程詳細に説明する。
【００３８】
　サドルステッチャー６００は，パス６０１を通ってきたシートＳをサドルステッチャー６００内に積載し，束中央部にステイプルした後，中央を折ってサドルステッチャー用トレイ６０３に積載する装置である。・・・（略）
【００３９】
　インサータ８００は，カラー出力機等ですでに画像形成されたシートＳを，インサータトレイ８０１上において画像面を上方にして積載し（ここでシートは両面画像でもちろんかまわない），給紙部８０２により１枚ずつ給紙されパス８０３を介して搬送される。
【００４０】
　前記シート処理装置５０１の処理トレイ５０７へは，分岐部６０２で分岐され，パス５０２ａを通り分岐部５１５で分岐された後５０４を介して前述同様搬送され，処理トレイ５０７へ搬送される。
【００４１】
　また，前述サドルステッチャー６００へのシートの搬送は，前述パス８０３からのシートを分岐部６０２を介してパス５０２ａへ一旦搬入後，シート後端が分岐部６０４を抜けると，シート搬送方向を逆方向にし分岐部６０４でパス６０２の方向に導き，パス６０１を介してサドルステッチャー６００へと導かれる。
・・・（略）
【００５２】
　次に，前記シート処理ユニット（サドルステッチャー，インサータ，Ｚ折り）が追加された場合の基本動作を説明する。
【００５３】
　(1) 折りモード
・・・（略）
【００５５】
　(2) インサートスタックモード
　不図示の操作部でインサートモードが選択され，所定ページ目（ｎページ目）へのシートインサートが入力されてスタートキーが押されると，前記同様画像形成装置１００から画像形成されたシートが処理トレイ５０７へと搬送される。
【００５６】
　そして，前記インサータ８００から上記画像形成装置の（ｎ−１）ページ目と（ｎ＋１）ページ目の紙間に入るようにインサート用のシートが送り込まれ，処理トレイ５０７へと搬入される。
【００５７】
　ここで，上記インサートされるｎページ目は１ページ目でも最後のページでももちろんかまわない。そして，前述同様スタックトレイ５１２へと搬送され積載される。
【００５８】
　(3) インサート，サドルステッチモード
　不図示の操作部でインサート，サドルステッチモードが選択され，所定ページ目（例えば表紙）へのインサートが入力されスタックキーが押されると，まず，インサータ８００からシートがサドルステッチャー６００へ送り込まれ，その次に，連続的に画像形成本体２０１からのシートＳがサドルステッチャー６００に送り込まれ，所定枚数サドルステッチャーに送り込まれると，公知の技術により１束の中折り綴じ束となり，サドルトレイ６０３上に積載される。
【００５９】
　以上，１枚目をインサートする説明を行ったが，シート束の途中または最後にシートをインサートしてももちろんかまわない。」
カ．図２は次のとおりである。
キ．「【００６０】
　次に，シート処理装置のフレーム５１６のキャスター（支持部材）５１７部について説明する（図６〜図９参照）。図７は図６のＸ視図である。
【００６１】
　シート処理装置のフレーム５１６は，下部に底板５５０を有し，該底板５５０には，直接，少なくとも１ケのキャスター５１７が取り付けられ，前記他のシート処理手段のユニットが取り付く側（図において右側）には，コの字形状をしたキャスター支持部材５５１にキャスター５１７が取り付けられた状態で，図６，図７に示すように２ケのビス５５２により前記底板５５０に取り付けられている。
【００６２】
　上記ビス５５２を緩めた状態で，上記キャスター支持部材５５１は，フレーム５１６に伸縮自在になっている。キャスター支持部材５５１を移動部させるために，図６における左側のビス５５２に対応する底板５５０の位置と，右側のビス５５２に対応するキャスター支持部材５５１の位置とには，不図示の長穴がそれぞれ形成されている。
・・・（略）
【００６６】
　次に，前記他のユニットを追加する場合について説明する。
【００６７】
　前述したサドルステッチャー６００及びインサータユニット８００を支持する枠体６５０を追加する場合は，図８に示すように，前述の固定用ビス５５２をゆるめ，キャスター支持部材５５１を矢印５５７方向に伸ばし，再度ビス５５２で固定する。そして，この状態で前記フレーム６５０を固定する。
・・・（略）
【００６９】
　次に，更に折りユニットを追加する場合についても（図９参照），前述同様に，矢印５５８方向にキャスター支持部材５５１を所定量移動させ固定すればよい。」
ク．図６，図８及び図９は次のとおりである。
　
　上記記載事項キ及びク等からは，折りユニット２０４を用いずに，サドルステッチャー６００及びインサータユニット８００を支持するフレーム６５０のみを，画像形成装置本体２０１とシート処理装置５０１の間に追加することができると理解することができ，また，上記記載事項カ（図２の記載）からは，フレーム６５０の高さがシート処理装置５０１と略同じであること，フレーム６５０には，パス８０３とは別に，画像形成装置本体２０１から搬送されてくるシートＳを，シート処理装置５０１に案内するパス（以下，「第２のパス」という。）が存在していて，これらのパスがフレーム６５０の上部側に位置していること，インサータユニット８００がシート処理装置５０１の上面に沿ってフレーム６５０から略水平方向に延びていること，及び，サドルステッチャー６００が，フレーム６５０の下部側方のシート処理装置５０１内部に位置していることを看取できるから，上記記載事項ア〜クを含む刊行物１の全記載からは，当該刊行物１に次の発明（以下，「引用発明」という。）が記載されていると認めることができる。
「　画像形成が行われたシートＳにステイプルしたり，１束ごとにオフセット積載したりするシート処理装置５０１と，
　原稿の画像情報を読み取ってシートＳ上に画像を形成する画像形成装置本体２０１と，
　インサータユニット８００及びサドルステッチャー６００を有するフレーム６５０であって，前記インサータユニット８００の給紙部８０２により給紙されたシートＳを前記シート処理装置５０１に案内するパス８０３と，前記画像形成装置本体２０１から搬送されてくるシートＳを前記シート処理装置５０１に案内する第２のパスとを備えたフレーム６５０と，
を含む画像形成装置１００において，
　前記フレーム６５０は，前記シート処理装置５０１と略同じ高さを有しており，
　前記インサータユニット８００は前記シート処理装置５０１の上面に沿って前記フレーム６５０から略水平方向に延び，前記パス８０３及び前記第２のパスはフレーム６５０の上部側に位置し，前記サドルステッチャー６００はフレーム６５０の下部側方のシート処理装置５０１内部に位置しており，
　前記フレーム６５０は，前記シート処理装置５０１の横に着脱可能に固定されて，当該シート処理装置５０１と前記画像形成装置本体２０１の間に位置している
画像形成装置１００。」
　
（３）本願補正発明と引用発明の対比
　引用発明の「画像形成装置１００」は，シート処理装置５０１と，画像形成装置本体２０１と，インサータユニット８００及びサドルステッチャー６００を有するフレーム６５０という複数の装置により構築されるシステムであって，シートに画像を形成するためのものであるのだから，この限りにおいて，本願補正発明の「画像形成システム」に相当する。
　また，引用発明の「シート処理装置５０１」は，画像形成が行われたシートＳにステイプルしたり，１束ごとにオフセット積載したりする機能を有しているのだから，「用紙に対して処理を行う」ものであるということができ，本願補正発明の「用紙に対して処理を行う用紙処理装置」に相当する。
　また，引用発明の「画像形成装置本体２０１」は，原稿の画像情報を読み取ってシートＳ上に画像を形成するのだから，「入力された画像情報に基づいて用紙上に画像を形成する」ものであるということができ，本願補正発明の「画像形成装置」に相当する。
　また，引用発明の「インサータユニット８００の給紙部８０２」，「パス８０３」及び「第２のパス」は，本願補正発明の「給紙手段」，「第１の搬送経路」及び「第２の搬送経路」にそれぞれ相当していて，引用発明の「インサータユニット８００及びサドルステッチャー６００を有するフレーム６５０」が，「インサートスタックモード」や「インサート，サドルステッチモード」（記載事項オ）において行う給紙部８０２による給紙は，「画像形成済みの転写紙とは別にカバー紙や章毎の区切りとしての合紙を供給する」（本願明細書の【０００８】）という本願補正発明の「カバーフィーダ装置」が有するカバーフィーダ機能に他ならず，かつ，引用発明の「インサータユニット８００及びサドルステッチャー６００を有するフレーム６５０」と，本願補正発明の「カバーフィーダ装置」は，ともに，画像形成システムに対して追加可能に構成された装置であるのだから，両者は，「カバーフィーダ機能を有するオプション装置」である点で共通する。
　また，引用発明の「インサータユニット８００」はシート処理装置５０１の上面に沿ってフレーム６５０から略水平方向に延びているのだから，当該「インサータユニット８００」を，「インサータユニット８００及びサドルステッチャー６００を有するフレーム６５０」における「水平部」と，インサータユニット８００及びサドルステッチャー６００を除いた「フレーム６５０」単独の部分を，「インサータユニット８００及びサドルステッチャー６００を有するフレーム６５０」における「垂直部」ということができる。（以下，混同を避けるため，引用発明において，「インサータユニット８００及びサドルステッチャー６００を除いたフレーム６５０単独の部分」を指すときは「フレーム６５０」と，「インサータユニット８００及びサドルステッチャー６００を有するフレーム６５０全体」を指すときは「フレームユニット」という。）
　さらに，引用発明の「フレームユニット」は，シート処理装置５０１の横に着脱可能に固定されて，当該シート処理装置５０１と画像形成装置本体２０１の間に位置しているから，本願補正発明の「カバーフィーダ装置」と，「用紙処理装置と画像形成装置の間に配置され，用紙処理装置に対して着脱可能」である点で共通する。
　したがって，本願補正発明と引用発明とを対比すると，両者は，
「　用紙に対して処理を行う用紙処理装置と，
　入力された画像情報に基づいて用紙上に画像を形成する画像形成装置と，
　給紙手段から給紙された用紙を用紙処理装置に案内する第１の搬送経路と前記画像形成装置から搬入された用紙を用紙処理装置に案内する第２の搬送経路を備えた，カバーフィーダ機能を有するオプション装置と，
を含む画像形成システムにおいて，
　前記カバーフィーダ機能を有するオプション装置は，
　前記給紙手段が設けられている水平部と，
　前記第１の搬送経路と前記第２の搬送経路が設けられている垂直部と，
を有し，
　前記用紙処理装置と前記画像形成装置の間に配置され，前記用紙処理装置に対して着脱可能に構成されている
画像形成システム。」
である点で一致し，次の点で一応相違する。
　
相違点１：カバーフィーダ機能を有するオプション装置として，本願補正発明では，カバーフィーダ機能のみを有する「カバーフィーダ装置」を用いているのに対して，引用発明では，カバーフィーダ機能とサドルステッチャー機能とを有する「フレームユニット」を用いている点。
　
相違点２：本願補正発明では，カバーフィーダ装置の垂直部が用紙処理装置の垂直方向の高さより短く，カバーフィーダ装置が用紙処理装置と画像形成装置の間の空間の上部に配置されているのに対して，引用発明では，フレームユニットのフレーム６５０はシート処理装置５０１と略同じ高さを有しており，フレームユニットはシート処理装置５０１と画像形成装置本体２０１の間に位置してはいるものの，両装置の間の空間部の上部に配置されているとはいえない点。
　
相違点３：本願補正発明のカバーフィーダ装置は，用紙処理装置に装着したとき，水平部の下面が用紙処理装置の上面に，垂直部の水平部の下面側の一方の側面が用紙処理装置の側面に，垂直部の水平部の下面側の他方の側面が画像形成装置の側面にそれぞれ当接して位置決めされているのに対して，引用発明のフレームユニットが，このような構成を有しているのか否かは不明な点。
　
（４）相違点１の容易想到性
　引用発明のフレームユニットは，カバーフィーダ機能とサドルステッチャー機能の双方を有するものであるところ，両機能のうちの一方のみを必要とし他方が不要なユーザを想定することは，当業者にとって容易なことであって，当該ユーザへの対応策を講じることは，そもそも，フレームユニットや折り装置２０４がそれぞれ画像形成装置１００に対して追加可能なオプション装置として構成されていて，引用発明がユーザの多様なニーズに対応しようとするものであることから，その具体化に際して当業者が当然に行う設計上の事項でしかない。
　また，刊行物１の請求項１（記載事項ア）には，「前記シート処理装置にシート折り，綴じ，パンチ等又はシート束への処理機能を追加するためのシート処理手段，及び前記シート収納手段と異なる枠体を有するシート積載手段の少なくとも１つを装着して追加する場合，」と記載されていて，当該請求項１が，カバーフィーダ機能とサドルステッチャー機能の双方を同時に提供することを必須としていないことから，刊行物１自体の記載が，上記両機能のうちの一方のみを提供することを示唆しているということもできる。
　そうであれば，カバーフィーダ機能のみを必要とし，サドルステッチャー機能が不要なユーザを想定して，フレームユニットからサドルステッチャー６００とサドルステッチャー機能のためにのみ用いられる部分を省略し，インサータユニット８００と，カバーフィーダ機能に必要な部分のみを有するフレーム６５０とから構成されるカバーフィーダ専用装置を，フレームユニットとは別に，オプション装置のバリエーションの一つとして提供して，ユーザがオプション装置のバリエーションの中から所望のものを選択して，シート処理装置５０１及び画像形成装置本体２０１と組み合わせることによって，所望の画像形成システムを構築できるようにすること，すなわち，引用発明において，フレームユニットに代えて，相違点１に関する本願補正発明の構成（カバーフィーダ専用装置）を採用することは，当業者が容易に想到し得たことといわざるを得ない。
　
　なお，刊行物１には，フレーム６５０に対して，インサータユニット８００やサドルステッチャー６００が着脱可能に取り付けられるものであるのか否かについて，明記はないものの，引用発明ではこれらが着脱可能に構成されていて，ユーザがインサータユニット８００とフレーム６５０のみを購入することで，カバーフィーダ機能のみを有するオプション装置を構築できるよう構成していると解する余地も存在するが，仮にそのように解釈した場合には，相違点１は実質的な相違点ではないということになる。
　
（５）相違点２の容易想到性
　引用発明において，フレーム６５０の構成の中で，カバーフィーダ機能に必要な部分がフレーム６５０の上部側に位置するパス８０３及び第２のパスのみであって，パス８０３及び第２のパスよりも下部に存在する部分がカバーフィーダ機能には不要なことは，当業者にとって明らかな事項であるから，上記（４）にて述べたカバーフィーダ専用装置を具体化する際に，フレーム６５０に対応する部材として，パス８０３及び第２のパスが存在する上部部分のみで構成され，下部部分を省略したフレームを想到すること，すなわち，当該カバーフィーダ専用装置の垂直部をシート処理装置５０１の垂直方向の高さより短いものとし，当該カバーフィーダ専用装置を用紙処理装置と画像形成装置の間の空間の上部に配置するよう構成すること（つまり，相違点２に関する本願補正発明の構成を採用すること）は，上記（４）にて述べた構成の変更を行うに際して，当業者が適宜なし得た設計事項でしかない。
　
　なお，上記（４）にて述べたように，引用発明において，ユーザが，インサータユニット８００とフレーム６５０のみを購入することで，カバーフィーダ機能のみを有するオプション装置を構築できるように構成していると解する余地も存在するが，仮にそのように解釈したとしても，カバーフィーダ機能のみが必要で，サドルステッチャー機能が不要であり，しかも，将来のサドルステッチャー機能の付加という拡張性も不要なユーザを想定することは，当業者にとって容易なことであり，このようなユーザにとって，サドルステッチャー機能への拡張性を確保するための構成（例えば，サドルステッチャー６００を駆動するための動力伝達機構や，サドルステッチャーを着脱可能に装着するための支持機構等）が無駄であることは明らかだから，上記拡張性を有する引用発明のフレームユニットとは別に，上記カバーフィーダ専用装置をオプション装置のバリエーションの一つとしてユーザに提供することは，やはり当業者が容易になし得たことといわざるを得ない。
　よって，引用発明において，フレーム６５０に対して，インサータユニット８００やサドルステッチャー６００が着脱可能に取り付けられるものであるのか否かという点が，相違点２の容易想到性の判断を左右することはない。
　
（６）相違点３の容易想到性
　上記（４）にて述べたカバーフィーダ専用装置において，シート処理装置５０１によって当該カバーフィーダ専用装置を支持する際の構成として，どのようなものを採用するのかは，そもそも当業者が適宜決定すれば足りる設計事項でしかない。
　しかるに，カバーフィーダ専用装置においては，フレームに対してインサータユニットを着脱可能に構成する必要性は全く存在しないばかりか，そのような着脱可能構成を採用するとコスト増に繋がることは明らかだから，フレームとインサータユニットを固定した構造を採用するのが自然であると認められ，かつ，当該カバーフィーダ専用装置の形状は，フレーム（垂直部に相当する。）が，シート処理装置５０１の垂直方向の高さより短くなっており，インサータユニット８００（水平部に相当する。）がシート処理装置５０１の上面に沿ってフレームから略水平方向に延びているという形状になるのであって，当該形状からは，水平部の下面をシート処理装置５０１の上面に，垂直部の一方の側面をシート処理装置５０１の側面に，垂直部の他方の側面を画像形成装置本体２０１の側面にそれぞれ当接して位置決めするのが，最も自然な支持構造と認められるから，引用発明において，相違点３に関する本願補正発明の構成を採用することは，上記（４）にて述べた構成の変更を行うに際して，当業者が適宜なし得た設計事項というほかない。
　
（７）補正却下の理由のまとめ
　以上のとおり，引用発明において，各相違点に関する本願補正発明の構成を採用することは，いずれも，当業者が容易に想到し得たことと認められるから，本願補正発明は，引用発明に基づいて当業者が容易に発明をすることができたものであり，特許法第２９条第２項の規定により特許出願の際独立して特許を受けることができないものである。
　よって，本件補正は，平成１８年改正前特許法第１７条の２第５項において準用する同法第１２６条第５項の規定に違反してなされたものであるから，同法第１５９条第１項において読み替えて準用する同法第５３条第１項の規定により却下すべきものである。
　
　
第３　本願発明について
１．本願発明
　平成２３年５月１８日付けの手続補正は上記のとおり却下されたので，本願の請求項１〜５に係る発明は，平成２２年１１月１２日付けの手続補正書の特許請求の範囲の請求項１〜５に記載された事項により特定されるものであるところ，その請求項１に係る発明（以下，「本願発明」という。）は，次のとおりのものである。
「【請求項１】
　用紙に対して処理を行う用紙処理装置と，
　入力された画像情報に基づいて用紙上に画像を形成する画像形成装置と，
　給紙手段から給紙された用紙を用紙処理装置に案内する第１の搬送経路と前記画像形成装置から搬入された用紙を用紙処理装置に案内する第２の搬送経路を備えたカバーフィーダ装置と，
を含む画像形成システムにおいて，
　前記カバーフィーダ装置は，
　　前記給紙手段が設けられている水平部と，
　　前記第１の搬送経路と前記第２の搬送経路が設けられている垂直部と，
を有し，
　　前記用紙処理装置に対して着脱可能であって，前記用紙処理装置に装着したとき，前記水平部の下面が前記用紙処理装置の上面に，前記垂直部の前記水平部の下面側の一方の側面が前記用紙処理装置の側面に，前記垂直部の前記水平部の下面側の他方の側面が前記画像形成装置の側面にそれぞれ当接して位置決めされていること
を特徴とする画像形成システム。」
　
２．刊行物１の記載事項及び刊行物１に記載された発明
　原査定の拒絶の理由で引用された刊行物１の記載事項，及び，当該記載事項から認定される引用発明については，上記第２　２．（２）に記載したとおりである。
　
３．対比・判断
　本願発明は，上記第２　２．で検討した本願補正発明における「垂直部」の長さ及び「カバーフィーダ装置」の配置についての限定事項を省いたものである。
　そうすると，本願発明の特定事項を全て含み，さらに他の特定事項を付加した本願補正発明が上記第２　２．で述べたとおり，引用発明に基づいて当業者が容易に発明をすることができたものであるから，本願発明も，同様の理由により，引用発明に基づいて当業者が容易に発明をすることができたものである。
　
第４　まとめ
　以上のとおり，本願の請求項１に係る発明は，刊行物１に記載された発明に基づいて，当業者が容易に発明をすることができたものであるから，特許法第２９条第２項の規定により特許を受けることができない。
　したがって，本願は，その余の請求項について論究するまでもなく，拒絶すべきものである。
　よって，結論のとおり審決する。